(57)【要約】【課題】  ケーブルネットワークを支持する梁のヒンジ点の数を減らし、展開信頼性をより向上させた展開型アンテナを得ることを目的とする。【解決手段】  アンテナリフレクタを形成するための金属メッシュとケーブルネットワークを支持する展開マストを、２〜３段階に折り曲げ可能な展開リブと展開リブ間を接続する展開ヒンジとで構成することにより、収納時はコンパクトに折り畳まれ、軌道上で容易に展開動作可能な展開型アンテナを得ることが可能となる。【選択図】        図１
2008187650.tif 000002
【特許請求の範囲】
【請求項１】
アンテナの電波反射面を構成する金属メッシュと、
その形状を保持するケーブルと、
上記金属メッシュとケーブルを折り畳んだ状態から展開し、展開後は上記金属メッシュとケーブルネットワークを保持するように放射状に配置された展開マストと、
上記展開マストを展開する展開ヒンジと、
上記展開マストを保持するセンターハブと、
を有する展開型アンテナにおいて、
上記展開マストは、２〜３段に折り曲げ可能なように相互に展開ヒンジで接続された複数段のリブから構成されるとともに、
上記展開マストは、展開前に先端側のリブから順次内側に折り畳まれるように折り曲げ収納され、軌道上にて収納状態から展開することで電波反射面を形成するように構成されたことを特徴とする展開型アンテナ。
【請求項２】
アンテナの電波反射面を構成する金属メッシュと、
その形状を保持するケーブルと、
上記金属メッシュとケーブルを折り畳んだ状態から展開し、展開後は上記金属メッシュとケーブルネットワークを保持するように放射状に配置された展開マストと、
上記展開マストを展開する展開ヒンジと、
上記展開マストを保持するセンターハブと、
を有する展開型アンテナにおいて、
上記展開マストは、２〜３段に折り曲げ可能なように相互に展開ヒンジで接続された複数段のリブから構成されるともに、
上記展開マストは、展開前に先端側のリブが外側に配置されるように順次折り曲げ収納され、軌道上にて収納状態から展開することで電波反射面を形成するように構成されたことを特徴とする展開型アンテナ。
【請求項３】
副反射鏡と、
上記センターハブに対して副反射鏡を支持する伸展構造部と、
上記センターハブに保持された給電ホーンとを有し、
上記伸展構造部は、上記副反射鏡を軌道上で伸展させることを特徴とする請求項１又は２記載の展開型アンテナ。
【請求項４】
上記複数段のリブの少なくとも１本を衛星構体の一端部に接続し、上記衛星構体の他端部に給電ホーン並びに給電部を設けて、オフセットリフレクタを構成したことを特徴とする請求項１又は請求項２記載の展開型アンテナ。
【請求項５】
上記金属メッシュにメッシュ状繊維織布を用いたことを特徴とする請求項１〜４の何れか１項記載の展開型アンテナ。
【請求項６】
上記展開ヒンジの周囲を膜状部材で覆ったことを特徴とする請求項１〜４の何れか１項記載の展開型アンテナ。
【発明の詳細な説明】
【技術分野】
【０００１】
この発明は、人工衛星や宇宙航行体等の宇宙機器に搭載される展開型アンテナに関するものである。
【背景技術】
【０００２】
宇宙用のアンテナは、宇宙利用の拡大に伴い、衛星通信用の移動体端末や高精度の電波観測に用いることの可能な、より開口径の大きい大型な物が望まれている。一方、このようなアンテナは、打ち上げ時のランチャの収納スペースに限りがあるため、小さく畳んだ状態で直径２ｍ〜４ｍ程度のロケットフェアリング内に収納され、打ち上げ後軌道上でアンテナが展開され、反射鏡面を構成する。
【０００３】
このような展開型アンテナの一例として、従来、６本の梁が放射状に配置されて構成され、中心部を回動点にして折り畳み又は展開可能に構成される展開型骨組みトラス構造を用いたものが知られている（例えば、特許文献１参照）。この展開型アンテナは、梁を構成する伸展マストの上にメッシュ鏡面を張り、メッシュ鏡面の鏡面形状を形成するケーブルネットワークに張力を付与する。
【０００４】
【特許文献１】特開２００６−８０５７８号公報（図１）
【発明の開示】
【発明が解決しようとする課題】
【０００５】
従来の展開型アンテナは、ケーブルネットワークを支持する伸展マスト（梁）が複数の展開リブと展開ヒンジから構成されている。この際、展開ヒンジのヒンジ点の数は数１００程度と膨大なものとなる。軌道上でのアンテナ展開時に、展開機構の故障は反射鏡面の形成に致命的な影響を与える。展開アンテナにおいては展開ヒンジが全て展開することが必須となるため、展開ヒンジ点の数が膨大になると故障確率が高くなるという問題がある。
【０００６】
又、アンテナ展開時における、ケーブルネットワークの絡みも、反射鏡面の形成に致命的な影響を与える。この絡みを防止するためには、従来、鏡面メッシュとからみ防止膜を対向配置して閉鎖空間を形成し、その中にケーブルネットワークのノードやケーブルの結束部等、硬いものが入らないように構成していた。しかし、展開ヒンジ点の数が膨大になると、ケーブル及び鏡面メッシュが展開リブ及び展開ヒンジに複雑に絡み合う可能性が高くなるという問題があった。
【０００７】
この発明は上記のような課題を解消するためになされたもので、ケーブルネットワークを支持する梁において、ヒンジ点の数を少なくし、展開信頼性をより向上させた展開型アンテナを得ることを目的とする。
【課題を解決するための手段】
【０００８】
この発明による展開型アンテナは、アンテナの電波反射面を構成する金属メッシュと、その形状を保持するケーブルと、上記金属メッシュとケーブルを折り畳んだ状態から展開し、展開後は上記金属メッシュとケーブルネットワークを保持するように放射状に配置された展開マストと、上記展開マストを展開する展開ヒンジと、上記展開マストを保持するセンターハブと、を有する展開型アンテナにおいて、上記展開マストは、２〜３段に折り曲げ可能なように相互に展開ヒンジで接続された複数段のリブから構成されるとともに、上記展開マストは、展開前に先端側のリブから順次内側に折り畳まれるように折り曲げ収納され、軌道上にて収納状態から展開することで電波反射面を形成するように構成されたものである。
【０００９】
又、この発明による展開型アンテナは、アンテナの電波反射面を構成する金属メッシュと、その形状を保持するケーブルと、上記金属メッシュとケーブルを折り畳んだ状態から展開し、展開後は上記金属メッシュとケーブルネットワークを保持するように放射状に配置された展開マストと、上記展開マストを展開する展開ヒンジと、上記展開マストを保持するセンターハブと、を有する展開型アンテナにおいて、上記展開マストは、２〜３段に折り曲げ可能なように相互に展開ヒンジで接続された複数段のリブから構成されるともに、上記展開マストは、展開前に先端側のリブが外側に配置されるように順次折り曲げ収納され、軌道上にて収納状態から展開することで電波反射面を形成するように構成されたものである。
【発明の効果】
【００１０】
この発明によれば、展開マストを構成するヒンジ点の数が劇的に減り、故障の可能性が格段に少なくなるため、信頼性が格段に向上するという効果がある。
【００１１】
又、展開マストが２〜３段のリブを組み合わせたシンプルで且つ滑らかな形状をした機構となるので、展開ヒンジや展開リブとケーブル及びメッシュが絡む可能性が低くなるという効果がある。
【００１２】
更に、展開ヒンジの周囲を膜状部材で覆うことにより、展開ヒンジやリブとケーブル及びメッシュが絡む可能性が格段に低くなるという効果がある。
【発明を実施するための最良の形態】
【００１３】
実施の形態１．
この発明に係る実施の形態１の展開アンテナは、アンテナリフレクタを構成する金属メッシュ及びケーブルネットワークを支持する梁を、２〜３段階に折り曲げ可能な展開リブと展開リブ間を接続する展開ヒンジを有した展開マストで構成することにより、収納時はコンパクトに折り畳まれ、軌道上で容易に展開動作可能な展開型アンテナを得ることが可能となる。
【００１４】
以下、図を用いてこの発明に係る実施の形態１について説明する。
図１は実施の形態１に係わる展開型アンテナの一実施例を示す図である。図２は展開型アンテナの展開マストの構造を示す図であり、図２（ａ）は展開マストの構造を示す断面図、図２（ｂ）は展開マストにおける展開ヒンジの構成を示す部分詳細図である。
【００１５】
図において、展開型アンテナは、金属メッシュ１、ケーブル２、センターハブ３、展開マスト４、展開ヒンジ５、副反射鏡１０、及び給電ホーン１２から構成される。センターハブ３は円筒形状を成し、センターハブ３は図示しない衛星構体に固定される。展開マスト４の根元部は展開ヒンジ５に回転可能に支持され、展開ヒンジ５はセンターハブ３に固定される。これによって、展開マスト４がセンターハブ３に保持される。又、センターハブ３を中心として６本の展開マスト４が放射状に配置される。
【００１６】
ケーブル２は複数のノード点で結束され、展開型アンテナの反射鏡面に対向するように網目状に張巡らされて、全体として六角形状のケーブルネットワークを構成する。ケーブルネットワークは、展開マスト４を間に挟むように互いに対向配置された正面ケーブルネットワーク２０１と背面ケーブルネットワーク２０２の、２つのサブケーブルネットワークから構成される。正面ケーブルネットワーク２０１は展開型アンテナの反射鏡面に沿うようにケーブル２が張られて、各ケーブルにテンションが付与されている。背面ケーブルネットワーク２０２は、正面ケーブルネットワーク２０１に対して凹面が逆方向となる曲面を形成するようにケーブル２が張られて、各ケーブルにテンションが付与されている。２つのサブケーブルネットワークの有する各ノード点は、複数のタイケーブル２０３によって展開型アンテナの反射鏡面を突き刺す方向に結束されて、各ケーブルにテンションが付与される。ケーブルネットワークの内周側に位置する一部のノードは、センターハブ３に保持固定される。また、ケーブルネットワークの外周側に位置する一部のノードは、展開マスト４の先端部に設けられた支持棒２０５にそれぞれ保持固定される。かくして、展開マスト４はケーブルネットワークを支持する梁として機能する。
【００１７】
金属メッシュ１は、その一部のノードがケーブル２に結束され、正面ケーブルネットワーク２０１に保持される。又、背面ケーブルネットワーク２０２には絡み防止膜（図示せず）が保持され、その一部のノードがケーブル２に結束されている。これによって、金属メッシュ１が理想的な放物面に近接した曲面を形成し、この曲面が展開型アンテナの反射鏡面（リフレクタ）として機能する。副反射鏡１０及び給電ホーン１２はセンターハブ３に保持される。副反射鏡１０、放射状に配置された展開マスト４の根元部に対向して、アンテナ反射鏡面から見て展開型アンテナの中央に配置される。給電ホーン１２はセンターハブ３の軸中心に配置され、ホーンの開口部がセンターハブ３の端面から突出するように配置される。
【００１８】
展開マスト４は、複数段（２段〜４段）の展開リブ２０と、展開リブ２０を回転可能に支持する展開ヒンジ２１から構成される。隣接する展開リブ２０同士の間は展開ヒンジ２１によって相互に接続されている。図１、２の例では、３つの展開リブ２０を展開ヒンジ２１で接続して１つの展開マスト４を構成している。これによって、展開マスト４を簡潔な構造で構成することができる。なお、展開マスト４は、アンテナの大きさに応じて２段乃至４段構成とするのが良い。直径１０ｍ程度の大きさであれば、１本の展開リブ２０の大きさを２〜４ｍ程度の長さとし、３段のリブで構成することが好ましい。展開リブ２０は、例えばＣＦＲＰ（carbon fiber reinforced plastics）で成形された薄肉の円筒パイプで構成される。円筒パイプは、炭素繊維を６０°配向で交差させ複数層積層して、樹脂を含有して成形される。この際、円筒パイプの肉厚は１ｍｍ程度で良い。展開マスト４は、根元部の展開リブ２０から先端部の展開リブ２０に架けて、次第にパイプ径が細くなるように構成するのが望ましい。又、展開マスト４を折り畳んで収納する際、収納効率が上がるように、各展開リブ２０は直線形状のパイプで構成すると良い。
【００１９】
図２（ｂ）に示すように、展開ヒンジ２１及び展開ヒンジ５は、１軸の回転自由度を有した回転機構で構成される。展開ヒンジ２１及び展開ヒンジ５には、トルカ２３が設けられる。トルカ２３は、例えば回転トルクを発生するコイルスプリングが用いられる。かくして、隣接する展開リブ２０同士を相対的に回転させ展開リブ２０を展開させるための回転トルクを与えることができる。なお、トルカとしては、ダイレクトドライブモータを用いても良いことは言うまでもない。展開ヒンジ２１及び展開ヒンジ５の周囲は、メッシュ状の膜７に囲まれて保護される。これによって、ケーブル２が展開ヒンジ２１及び展開ヒンジ５に絡む可能性が激減する。
【００２０】
図３は３段式の展開リブ２０により展開マストが構成される展開型アンテナの、展開動作を示す図である。図３(a)は収納状態を示す図、図３（ｂ）は展開途中の状態を示す図、図３（ｃ）は完全に展開した状態を示す図である。
【００２１】
展開型アンテナは、収納状態で搭載する衛星本体とともに打上げランチャのフェアリング内に搭載される。この際、中間部（中段）の展開リブ２０は、根元部（最終段）の展開リブ２０に対してアンテナの中心に向かう方向に回転して折り畳まれる。又、先端部（初段）の展開リブ２０は、更に根元部の展開リブ２０に対してアンテナの中心に向かう方向に回転して折り畳まれる。結果的に、先端部の展開リブ２０は、根元部の展開リブ２０に対して３６０°回転した状態で、中間部の展開リブ２０に巻き込まれるように折り畳まれ、中間部の展開リブ２０は、根元部の展開リブ２０に対して１８０°回転した状態で折り畳まれる。
【００２２】
ランチャの打ち上げ後、衛星本体がランチャから宇宙空間に放出され、所望の軌道上に投入される。その後、展開ヒンジ５及び展開ヒンジ２１が展開リブ２０に展開トルクを付与して展開マスト４が展開し、展開型アンテナ反射鏡が半開きの状態となる。この場合、先端部の展開リブ２０は、中間部の展開リブ２０に対して９０°回転した状態まで展開し、中間部の展開リブ２０は、根元部の展開リブ２０に対して９０°回転した状態まで展開する。
【００２３】
続いて、展開ヒンジ５及び展開ヒンジ２１が展開リブ２０に展開トルクを付与して展開マスト４が展開し、展開型アンテナ反射鏡が大口径に展開される。この場合、先端部の展開リブ２０は、中間部の展開リブ２０に対して１８０°回転した状態まで展開し、中間部の展開リブ２０は、根元部の展開リブ２０に対して１８０°回転した状態まで展開する。最終的に、先端部の展開リブ２０は、根元部の展開リブ２０に対して概ね３６０°回転することによって展開動作が完了する。この際、展開マスト４の展開に応じて、ケーブル２に張力が印加された順に、各展開ヒンジによって展開リブ２０が解放されていく。なお、６本の展開マスト４は、概ね同じ回転角と角速度で展開リブ２０が順次展開するように、適宜展開ヒンジ２１のトルク調整が行われることは言うまでもない。
【００２４】
一般的に、伸展マストを用いた従来の展開型アンテナにおいては、伸展マストを構成する展開リブと展開ヒンジの数が数１００程度と非常に多くなる。ここで、図４を用いて、伸展マストを用いた従来の展開型アンテナと、展開マストを用いた実施の形態１による展開型アンテナとの、ヒンジ部分の構造比較を行う。図４(a)は通常の伸展マストの構造を示すであり、図４(b)は実施の形態１によるリブ２０と展開ヒンジ２１を用いた展開マストの構造を示す。
【００２５】
図４(a)において、１本の伸展マストについて展開リブ５０を実線で示し、展開ヒンジ５１を○印で示している。図は伸展マストを簡略的に図化したものであるが、伸展マストはトラス構造を構成するので、これでも１本の伸展マストについて展開ヒンジ数は３２個ある。したがって伸展マストが複数本になると、例えば６本の伸展マストで展開ヒンジ数は２００個程度になる。実用的には、更にヒンジ数を増やす必要がある。
【００２６】
一方、図４(b)においては、図４(a)と見比べると大幅にヒンジ数を削減できることは明らかである。展開型アンテナにおいては、展開ヒンジ２１が全て展開することが必須となるため、ヒンジ点の数が膨大になると故障を起こす確率が高くなる。換言すると、ヒンジ数を少なくすることによって故障を低減し、信頼性を高めることができる。実施の形態１では、梁を構成する最低３段の展開リブ２０と、隣接する展開リブ２０を相対的に回転させる展開ヒンジ２１を設けることで、故障モードの少ない簡単な構造とすることができる。これによって、展開信頼性をより高めることが可能となる。更に、構成が単純であるために、小型化、軽量化も容易である。加えて、ヒンジ点が少ないので、ケーブル２が展開ヒンジ２１に絡む確率を格段に低減することができる。
【００２７】
次に、反射鏡面を構成する金属メッシュ１について説明する。電波を反射させるためには、反射材が鏡面上に必要になる。大型展開アンテナの場合、軽量化のためにメッシュが用いられることが多い。このメッシュとしては、ケーブルネットワークの張力状態に対する膜面の影響を極力小さくする必要がある。このため、メッシュ状の面内剛性の小さい網目状の編物を用いることによって、非常に小さな力で膜面を張架することを可能にし、ケーブルネットワークの張力状態に与える影響を小さく押えている。編目状の編物は、繊維をループ状に編んでいるため、面内に荷重をかけた場合、このループが変形して伸びるので、使用する繊維の軸方向剛性にあまり影響されずに面内剛性の低い膜を得ることができる。
【００２８】
なお、高い周波数帯に対応した反射鏡面を構成する場合、高周波数化に伴って鏡面精度に対する要求が高くなる。Ｌ帯やＳ帯では鏡面精度に対する要求は比較的に緩い。しかし、周波数帯がより高域となるＫｕ帯、Ｋａ帯では、鏡面精度に対する要求は、Ｌ帯やＳ帯よりも更に１桁小さくなる。このため、Ｋｕ帯、Ｋａ帯等の高周波数帯では、金属メッシュを使うには限界がある。そこで、金属メッシュ１の代わりに、反射鏡面を構成する部材としてメンブレン材を用いることで、鏡面精度の向上を図っても良い。メンブレン材は、通常は成形時の形状を維持することができる一方で、収納時には膜面を折り曲げて畳むことが可能な柔軟部材である。このメンブレン材としては、例えば平織に薄く編まれた炭素繊維にシリコン樹脂を含浸させて固めた素材を用いるのが良い。シリコンを含有させることによって柔軟性が向上し、メッシュと同様に収納性が良くなる。
【００２９】
以上説明した通り、実施の形態１の展開型アンテナでは、２〜３段に折り曲げ可能なように相互に展開ヒンジで接続された複数段のリブから展開マストを構成し、展開前に先端側のリブから順次内側に折り畳まれるように折り曲げ収納され、軌道上にて収納状態から展開することでリフレクタを形成するようにした。
【００３０】
これによって、展開マストを構成するヒンジ点の数が劇的に減り、故障の可能性が格段に少なくなるため、信頼性が格段に向上するという効果がある。又、展開マストが２〜３段のリブを組み合わせたシンプルで且つ滑らかな形状をした機構となるので、展開ヒンジや展開リブとケーブル及びメッシュが絡む可能性が低くなるという効果がある。更に、展開ヒンジの周囲を膜状部材で覆うことにより、展開ヒンジやリブとケーブル及びメッシュが絡む可能性が格段に低くなるという効果がある。
【００３１】
なお、従来の展開型アンテナでは、トラス構造体を構成する伸展マストを伸展させるためにはキャニスターや押し出し機構が必要であり、その機構を設けるがために全体の重量が重くなるという問題があった。しかし、この実施の形態１による展開型アンテナでは、複数の梁部材（展開リブ）を展開させる展開マストを用いているので、展開リブを伸展させるためのキャニスターや押し出し機構が不要となり、全体の重量をより軽くすることが可能となる。
【００３２】
実施の形態２．
以下、図を用いてこの発明に係る実施の形態２について説明する。
図５はこの発明に係わる展開型アンテナの他の一実施例を示す図である。図５(a)と図５(ｂ)はこの展開型アンテナ反射鏡の展開シーケンスを示す図である。図３と同様な構成であるが、ここでは鏡面メッシュ及びケーブルネットワークは記載していない。又、展開マストは１本のみを示している。
【００３３】
この展開型アンテナは、収納状態でランチャに搭載され、軌道上に打ち上げられてから展開リブ２０と展開ヒンジ２１によって大口径に展開される。この際、先端部の展開リブ２０が中間部の展開リブ２０の外側に配置され、中間部の展開リブ２０が根元部の展開リブ２０の外側に配置されるように折り畳むことで、展開マストの展開動作がスムーズになり、展開に対する信頼性が更に向上する。すなわち、展開に伴う金属メッシュやケーブルネットワークの移動距離を、実施の形態１より小さくできるだけでなく、金属メッシュやケーブルネットワークの移動と展開リブの移動を分離し易くする。例えば、図５の例では、先端部の展開リブ２０は、根元部の展開リブ２０に対して概ね１８０°回転するだけで展開動作が完了する。したがって、図３の例と比べて、先端部の展開リブ２０の回転角が半分で済むので、展開時の動作信頼性が更に向上する。
【００３４】
実施の形態３．
以下、図を用いてこの発明に係る実施の形態３について説明する。
図６はこの発明に係わる展開型アンテナの他の一実施例を示す図であり、図６（ａ）は外観図を示し、図６（ｂ）は副反射鏡の折り畳まれた状態を示す図である。
図において、副反射鏡１０は、伸展構造部１４によって支持される。給電ホーン１２は図示しない給電部に接続される。この例では、伸展構造部１４がリンク機構によって折畳み可能に構成され、副反射鏡１０は給電ホーン１２の先端に近接する位置まで折り畳むことができる。伸展構造部１４は３本のロッドで構成され、各ロッドは３つのヒンジ１１と、ヒンジ１１に接続されるリンク１５によって構成される。なお、図では屈曲部が１段構成となるリンク機構を示しているが、ヒンジ１１とリンク１５の数を増やして、屈曲部が多段構成となるリンク機構を構成しても良いことは謂うまでもない。勿論、実施の形態１の図２（ｂ）に示したように、ケーブルとの絡み防止のため、ヒンジ１１の周辺を膜面で覆っても良い。
【００３５】
打上げ時は、リンク１５が回転して伸展構造部１４が折れ曲がり、副反射鏡１０が給電ホーン１２に近接して収納されている。軌道上において伸展構造部１４を伸展させることで、副反射鏡１０及び給電ホーン１２が反射鏡の前面に位置するため、センターフィードカセグレンアンテナを構成することができる。又、打上げ時は伸展構造部１４のリンク１５が折り畳まれて副反射鏡１０が収納されているため、副反射鏡１０の配置スペースを小さくすることができる。
【００３６】
実施の形態４．
以下、図を用いてこの発明に係る実施の形態４について説明する。
図７はこの発明に係わる展開型アンテナの他の一実施例を示す図であり、図７（ａ）は衛星構造体に取付けられた展開マストが収納状態から展開状態に移行する状態を示す図、図７（ｂ）は展開後における衛星構体に取付けられた展開型アンテナの反射鏡と副反射鏡の配置例を示す図である。
【００３７】
図において、展開ブーム１６の一方の端部は衛星構体１３の下部（一端部）周辺に接続される。展開ブーム１６の他方の端部は展開ヒンジ５に接続される。展開ブーム１６は展開マスト４を衛星本体に接続する。給電部１７は給電ホーンを備えている。図７(a)では、展開マスト１本のみを示し、鏡面メッシュやケーブルネットワークなどは省略している。
【００３８】
この実施の形態では、まず、展開ブーム１６を衛星本体から展開させ、次に、順次、展開リブ２０を展開することで、衛星側面にアンテナ反射鏡を形成することができる。又、衛星構体１３の上部（他端部）に給電部１７を構成することで、オフセットリフレクタを構成することが可能となる。
【図面の簡単な説明】
【００３９】
【図１】この発明の実施の形態１による展開アンテナの構成を示す図である。
【図２】（ａ）この発明の実施の形態１による展開マストの構成を示す断面図、（ｂ）この発明の実施の形態１による展開ヒンジの構成を示す部分詳細図である。
【図３】この発明の実施の形態１による展開アンテナの展開動作を示す図である。
【図４】この発明の実施の形態１による展開アンテナと従来の展開アンテナとのヒンジ部の構造の違いを説明するための図である。
【図５】この発明の実施の形態２による展開マストの収納状態を示す図である。
【図６】この発明の実施の形態３による副反射鏡の伸展構造部を示す図である。
【図７】この発明の実施の形態４による展開アンテナの衛星本体への取付け配置例を示す図である。
【符号の説明】
【００４０】
１  金属メッシュ、２  ケーブル、３  センターハブ、４  展開マスト、５  展開ヒンジ、６  収納ケーブル、１０  副反射鏡、１１  伸展構造部、１２  給電ホーン、１３ 衛星構体、２０ 展開リブ、２１ 展開ヒンジ、２３  トルカ、１６ 展開ブーム、１７ 給電部。
【図１】
2008187650.tif 000003
【図２】
2008187650.tif 000004
【図３】
2008187650.tif 000005
【図４】
2008187650.tif 000006
【図５】
2008187650.tif 000007
【図６】
2008187650.tif 000008
【図７】
2008187650.tif 000009